(57)【要約】【課題】収容する物品を自由に組み合わせ又は分類することができるマルチ機能バックパックを提供する。【解決手段】正面部、背面部およびサイド側からなり、物品を収容するための第１の収容スペースが形成されている袋体２０と、袋体の正面部の外側に繰り返し貼付け可能に固定されている少なくとも一つの収容ユニット４０Ａ，４０Ｂと、袋体の背面部に接続され、袋体の正面部との間に収容ユニットを収容するための第２の収容スペースが形成されているカバー６０と、を備えている。収容ユニットは、袋体の正面部の外側に繰り返し貼付け可能に固定されているので、使用者の必要に応じてサイズの異なる収容ユニットを選択することができ、物品の収容を分類し組み合わせて袋体の正面部の外側に配列固定することができ、バックパック１０の収容スペースの利用がより効率よくなる。【選択図】図４
0003121959.tif 000002
【実用新案登録請求の範囲】
【請求項１】
マルチ機能バックパックにおいて、
正面部、背面部及びサイド側からなり、物品を収容するための第１の収容スペースが形成されている袋体と、
上記袋体の正面部の外側に繰り返し貼付け可能に固定されている少なくとも一つの収容ユニットと、
上記袋体の背面部に接続され、上記袋体の正面部との間に収容ユニットを収容するための第２の収容スペースが形成されているカバーと、
を備えていることを特徴とする、マルチ機能バックパック。
【請求項２】
前記袋体の正面部の外側には、面ファスナーのビロード状表面が設けられていることを特徴とする、請求項１に記載のマルチ機能バックパック。
【請求項３】
前記収容ユニットは、面ファスナーを有する収容バッグであることを特徴とする、請求項１に記載のマルチ機能バックパック。
【請求項４】
前記袋体の正面部の外側には、少なくとも２つの収容ユニットが固定されていることを特徴とする、請求項１に記載のマルチ機能バックパック。
【請求項５】
前記収容ユニットは、複数の半円形収容リングであることを特徴とする、請求項１に記載のマルチ機能バックパック。
【請求項６】
サイド側に固接されているバックベルトをさらに備えていることを特徴とする、請求項１に記載のマルチ機能バックパック。
【請求項７】
サイド側に固接されているつまみ部をさらに備えていることを特徴とする、請求項１に記載のマルチ機能バックパック。
【考案の詳細な説明】
【技術分野】
【０００１】
本考案は、マルチ機能バックパックに関し、より詳しくは、個人の必要に応じて自由に組み合わせ可能でかつ物品を分類して収容することができ、限られたスペースを十分利用することができるマルチ機能バックパックに関するものである。
【背景技術】
【０００２】
従来より、市販のバックパック（ｂａｃｋｐａｃｋ）、ナップザック（ｋｎａｐｓａｃｋ）、ハンドバッグ（ｈａｎｄｂａｇ）、リュックサック（ｒｕｃｋｓａｃｋ）などのバッグ袋内は、固定のポケット、ネット袋、バッグ袋の側面の小バッグ、小袋に設計され、または用途に応じた小袋に分割されていたり、ペンの収容やペンのような工具等の収容のための複数のリング口等に設計されていたりするのが通常である。
【０００３】
このような従来のバッグ袋の構成では、多数の使用者の需要に応じることができないことがあった。例えば、場合によっては使用者は、ペン類の文具やペン類の工具又はその他の小型ノートブック、パケットブック、ＰＤＡ（Ｐｅｒｓｏｎａｌ  Ｄｉｇｉｔａｌ  Ａｓｓｉｓｔａｎｔ、個人用携帯情報端末）、携帯電話、ＭＰ３（ＭＰＥＧ  ＡｕｄｉｏＬａｙｅｒ３、エムペッグオーディオレイヤー３）、ＣＤ（ｃｏｍｐａｃｔ  ｄｉｓｃ、コンパクトディスク）等の特殊な物品を自分の意思によって収容しようとする時がある。
【０００４】
この場合、使用者の需要を満たすためには、それらのような物品を収容するための専用特殊な小バッグや小袋又は複数のリング口等が必要となり、また、使用方向を自由に選択できるように、使用者の収容方向や取り出し方向に応じられることが要求されている。しかしながら、市販の従来のバッグ袋内の構成では、上記の問題点を解決することができず、使用者の需要に応えられないのが現状である。
【考案の開示】
【考案が解決しようとする課題】
【０００５】
したがって、バッグ袋内の構成を自由に利用することができ、そのバッグ袋内のいずれか一面のスペースの範囲を確保することにより使用者が物品を必要に応じてまたは自分の意思によって収容することができ、使用物品を分類して収容することができるとともに、使用者の習性または方向に応じて各分類の収容ユニットを組み合わせることができ、さらにバッグ袋内のスペースを有効に利用することができるバックパックの提供は、極めて解決すべき課題である。
【０００６】
そこで、以上のとおりの事情に鑑み、本考案は、収容する物品を自由に組み合わせ又は分類することができるマルチ機能バックパックを提供することを課題とする。
また、本考案は、スペースを有効に利用することができるマルチ機能バックパックを提供することを課題とする。
【課題を解決するための手段】
【０００７】
上記の課題を解決するために、本考案に係るマルチ機能バックパックは、正面部、背面部及びサイド側からなり、物品を収容するための第１の収容スペースが形成されている袋体と、上記袋体の正面部の外側に繰り返し貼付け可能に固定されている収容ユニットと、上記袋体の背面部に接続され、上記袋体の正面部との間に収容ユニットを収容するための第２の収容スペースが形成されているカバーと、を備えている。
【考案の効果】
【０００８】
収容ユニットは、袋体の正面部の外側に繰り返し貼付け可能に固定されているので、使用者の必要に応じてサイズの異なる収容ユニットを選択することができ、物品の収容を分類し組み合わせて前記袋体の正面部の外側に配列固定することができ、バックパックの収容スペースの利用がより効率よくなる。
【考案を実施するための最良の形態】
【０００９】
下記において特定の具体的な実施例によって本考案の実施方式を説明する。明細書に記載の内容によってこの技術に習熟した者は簡単に本考案のその他の利点や効果が理解できる。本考案に係る実質的な技術内容は、広汎に実用新案登録請求の範囲の範囲内に定義される。また、本考案は図示の実施の形態に限定されるものではなく、本考案の技術思想の範囲内で数々の変更態様が可能であることは言うまでもない。
【００１０】
図１Ａ及び図１Ｂに示すように、本考案に係るマルチ機能のバックパック１０は、正面部２０１、背面部２０３およびサイド側２０５からなり、物品を収容するための第１の収容スペースが形成されている袋体２０と、この袋体２０の正面部２０１の外側に繰り返し貼付け可能に固定される収容ユニット４０と、袋体２０の背面部２０３に接続され袋体２０の正面部２０１との間に収容ユニット４０を収容するための第２の収容スペースが形成されているカバー６０と、を備えている。図１Ｂに示すように、収容ユニット４０は、例えば収容バッグであり、裏面に複数のマジックテープ（登録商標）で代表されるような面ファスナー４０１が設けられ、袋体２０の正面部２０１の外側に面ファスナーのビロード状表面３０が設けられ、このビロード状表面３０により収容ユニット４０が繰り返し貼付け可能となる。面ファスナー４０１は、収容ユニット４０を上記のビロード状表面３０のどこかに固定しようとする場合に瞬間的に貼付け固定することができるように機能している。
【００１１】
本考案に係るマルチ機能のバックパック１０は、特に携帯式コンピュータの収容に適用されるものである。例えば、コンピュータ本体を、バックパック１０の第１の収容スペースに収容し、関連部材例えば電源線、ネットワークケーブル、マウス、バッテリ、光ディスクドライブ、カードリーダー、取り外し式ハードディスク等の外付け装置を、使用者の習慣にしたがって収容ユニットのそれぞれに分類して収容することができるとともに、外形、サイズまたは色の異なる収容ユニットの使用によりそれらを区別することができ、それらを組み合わせて袋体２０の正面部２０１の外側に配列固定することができるので、スペースの利用がより効率よくなる。
【００１２】
図２Ａに示すように、前記収容ユニット４０は矩形収容ユニット４０Ａであってよい。図２Ｂに示すように、前記収容ユニット４０は方形収容ユニット４０Ｂであってよい。図２Ｃに示すように、前記収容ユニット４０は縦長矩形収容ユニット４０Ｃであってよい。図２Ｄに示すように、前記収容ユニット４０は横長矩形収容ユニット４０Ｄであってよい。図２Ｅに示すように、前記収容ユニット４０は複数の半円形収容リング４０Ｅであってよい。
【００１３】
図３は、本考案に係るマルチ機能のバックパック１０の第１の実施形態を示している。複数の矩形収容ユニット４０Ａが、袋体２０の正面部２０１の外側のビロード状表面３０に縦列に重ねて配列固定されている。
【００１４】
図４は、本考案に係るマルチ機能のバックパック１０の第２の実施形態を示している。複数の矩形収容ユニット４０Ａが、袋体２０の正面部２０１の外側のビロード状表面３０のサイド側に縦列に重ねて配列固定されるとともに、複数の方形収容ユニット４０Ｂが、袋体２０の正面部２０１の外側のビロード状表面３０の他のサイド側に縦列に重ねて配列固定され、複数の矩形収容ユニット４０Ａの近傍に並列されている。
【００１５】
図５は、本考案に係るマルチ機能のバックパック１０の第３の実施形態を示している。複数の矩形収容ユニット４０Ａが、袋体２０の正面部２０１の外側のビロード状表面３０のサイド側に縦列に重ねて配列固定されるとともに、縦長矩形収容ユニット４０Ｃが、袋体２０の正面部２０１の外側のビロード状表面３０の他のサイド側に固定されている。
【００１６】
図６は、本考案に係るマルチ機能のバックパック１０の第４の実施形態を示している。収容ユニット４０の横長矩形収容ユニット４０Ｄが、袋体２０の正面部２０１の外側のビロード状表面３０の上サイド側に固定されているとともに、袋体２０の正面部２０１の外側のビロード状表面３０の下サイド側には、矩形収容ユニット４０Ａ及び方形収容ユニット４０Ｂが並列固定されている。
【００１７】
図７は、本考案に係るマルチ機能のバックパック１０の第５の実施形態を示している。収容ユニット４０の矩形収容ユニット４０Ａ及び方形収容ユニット４０Ｂは、袋体２０の正面部２０１の外側のビロード状表面３０のサイド側に縦列に重ねて配列固定されているとともに、収容リング４０Ｅは、袋体２０の正面部２０１の外側のビロード状表面３０の他のサイド側に並列固定されている。複数収容リング４０Ｅは、ペン類、尺、ペン状修正液及び各種の保守工具等の収容として用いられる。
【００１８】
図８は、本考案に係るマルチ機能のバックパック１０の第６の実施形態を示している。収容ユニットは、カードリーダーの皮革カバー４０Ｆ、ワイヤレス基地局受信機４０Ｇ、ＰＤＡの皮革カバー４０Ｈ、携帯電話の皮革カバー４０Ｉ、ＣＤ収容ボックス４０Ｊ等であってよい。収容ユニットは、例えばマウス、ネットワークケーブル、イヤホン、ＵＳＢ（Ｕｎｉｖｅｒｓａｌ  Ｓｅｒｉａｌ  Ｂｕｓ、ユニバーサル・シリアル・バス）及びハブ（ＨＵＢ）などのコンピュータ部材又は通信部材の収容挿しポート４０Ｋであってもよい。
【００１９】
本考案に係る多機能のバックパック１０は、使用者にバックパック片かけ又は脇がけが提供されるように、サイド側に長さ調整可能のバックベルトが固接されている。また、本考案に係るバックパック１０は、使用者によって容易に取り上げられるように、サイド側につまみ部が固接されていてもよい。
【００２０】
上記のように、これらの実施の形態は本考案を例示する目的で示すものであり、本考案は、これらによって何ら限定されるものではない。本考案に係る実質的な技術内容は、実用新案登録請求の範囲に定義される。本考案はこの技術分野に精通したものが実用新案登録請求の範囲を脱しない範囲で色々な修飾や変更が可能であり、そうした修飾や変更は本考案の請求範囲に含まれるものである。
【図面の簡単な説明】
【００２１】
【図１Ａ】本考案に係るマルチ機能バックパンクの本体を模式的に示した図である。
【図１Ｂ】本考案に係るマルチ機能バックパックの収容ユニットを模式的に示した図である。
【図２Ａ】本考案に係るマルチ機能バックパックの矩形収容ユニットを模式的に示した図である。
【図２Ｂ】本考案に係るマルチ機能バックパックの方形収容ユニットを模式的に示した図である。
【図２Ｃ】本考案に係るマルチ機能バックパックの縦長矩形収容ユニットを模式的に示した図である。
【図２Ｄ】本考案に係るマルチ機能バックパックの横長矩形収容ユニットを模式的に示した図である。
【図２Ｅ】本考案に係るマルチ機能バックパックの複数収容リングを模式的に示した図である。
【図３】本考案に係るマルチ機能の第１の実施形態を模式的に示した図である。
【図４】本考案に係るマルチ機能の第２の実施形態を模式的に示した図である。
【図５】本考案に係るマルチ機能の第３の実施形態を模式的に示した図である。
【図６】本考案に係るマルチ機能の第４の実施形態を模式的に示した図である。
【図７】本考案に係るマルチ機能の第５の実施形態を模式的に示した図である。
【図８】本考案に係るマルチ機能の第６の実施形態を模式的に示した図である。
【符号の説明】
【００２２】
１０  バックパック
２０  袋体
２０１  正面部
２０３  背面部
２０５  サイド側
３０  ビロード状表面
４０  収容ユニット
４０Ａ  矩形収容ユニット
４０Ｂ  方形収容ユニット
４０Ｃ  縦長矩形収容ユニット
４０Ｄ  横長矩形収容ユニット
４０Ｅ  複数収容リング
４０Ｆ  カードリーダー皮革カバー
４０Ｇ  ワイヤレス基地局受信機
４０Ｈ  ＰＤＡ皮革カバー
４０Ｉ  携帯電話皮革カバー
４０Ｊ  ＣＤ収容ボックス
４０Ｋ  収容挿しポート
４０１  主要ユニットのマジックテープ（登録商標）
６０  カバー
【図１Ａ】
0003121959.tif 000003
【図１Ｂ】
0003121959.tif 000004
【図２Ａ】
0003121959.tif 000005
【図２Ｂ】
0003121959.tif 000006
【図２Ｃ】
0003121959.tif 000007
【図２Ｄ】
0003121959.tif 000008
【図２Ｅ】
0003121959.tif 000009
【図３】
0003121959.tif 000010
【図４】
0003121959.tif 000011
【図５】
0003121959.tif 000012
【図６】
0003121959.tif 000013
【図７】
0003121959.tif 000014
【図８】
0003121959.tif 000015